【手続補正書】
【提出日】平成29年6月23日(2017.6.23)
【手続補正１】
【補正対象書類名】特許請求の範囲
【補正対象項目名】請求項１
【補正方法】変更
【補正の内容】
【請求項１】
回転軸と一体的に回転する略円柱状のロータと、前記ロータを該ロータの外周面の外方から取り囲む輪郭形状の内周面を有するシリンダと、前記ロータに形成したベーン溝に摺動可能に挿入され、前記ベーン溝からの背圧を受けて前記シリンダの内周面に先端側が当接可能に設けられた複数枚の板状のベーンと、前記ロータ及び前記シリンダの両端をそれぞれ塞ぐ２つのサイドブロックとを有する圧縮機本体を備え、
前記圧縮機本体の内部には、前記ロータの外周面と前記シリンダの内周面と前記両サイドブロックの各内側の面と前記ベーンとによって仕切られた圧縮室が複数形成され、前記圧縮室に供給された媒体を圧縮して、圧縮された高圧の媒体を吐出する気体圧縮機であって、
前記２つのサイドブロックのうちの少なくとも一方のサイドブロックの、前記ロータの端面に向いた面に、前記媒体の圧縮過程で前記ベーン溝の底部と連通し、前記ベーン溝の底部に前記ベーンを前記シリンダの内周面側に突出させる前記背圧を供給する背圧供給溝を有し、
前記背圧供給溝の外周縁を、ロータ回転方向前側に向かうに従ってロータ回転中心から遠ざかるように形成して、
前記圧縮室での媒体の圧縮過程の終盤で、前記ロータの回転にともなって、前記ベーン溝の底部が連通状態にある前記背圧供給溝のロータ回転方向前側の先端部から離れるまでの連通断面積が大きくなるようにすることを特徴とする気体圧縮機。
【手続補正２】
【補正対象書類名】特許請求の範囲
【補正対象項目名】請求項２
【補正方法】変更
【補正の内容】
【請求項２】
前記背圧供給溝のロータ回転方向前側の先端部は、周方向端部が直線的に形成されており、
前記ベーン溝の底部は、前記圧縮室での媒体の圧縮過程の終盤で、前記周方向端部を横切るようにして前記背圧供給溝から離れることを特徴とする請求項１に記載の気体圧縮機。
【手続補正３】
【補正対象書類名】明細書
【補正対象項目名】００１３
【補正方法】変更
【補正の内容】
【００１３】
前記課題を解決するために、本発明の気体圧縮機は、回転軸と一体的に回転する略円柱状のロータと、前記ロータを該ロータの外周面の外方から取り囲む輪郭形状の内周面を有するシリンダと、前記ロータに形成したベーン溝に摺動可能に挿入され、前記ベーン溝からの背圧を受けて前記シリンダの内周面に先端側が当接可能に設けられた複数枚の板状のベーンと、前記ロータ及び前記シリンダの両端をそれぞれ塞ぐ２つのサイドブロックとを有する圧縮機本体を備え、前記圧縮機本体の内部には、前記ロータの外周面と前記シリンダの内周面と前記両サイドブロックの各内側の面と前記ベーンとによって仕切られた圧縮室が複数形成され、前記圧縮室に供給された媒体を圧縮して、圧縮された高圧の媒体を吐出する気体圧縮機であって、前記２つのサイドブロックのうちの少なくとも一方のサイドブロックの、前記ロータの端面に向いた面に、前記媒体の圧縮過程で前記ベーン溝の底部と連通し、前記ベーン溝の底部に前記ベーンを前記シリンダの内周面側に突出させる前記背圧を供給する背圧供給溝を有し、前記背圧供給溝の外周縁を、ロータ回転方向前側に向かうに従ってロータ回転中心から遠ざかるように形成して、前記圧縮室での媒体の圧縮過程の終盤で、前記ロータの回転にともなって、前記ベーン溝の底部が連通状態にある前記背圧供給溝のロータ回転方向前側の先端部から離れるまでの連通断面積が大きくなるようにすることを特徴としている。
【手続補正４】
【補正対象書類名】明細書
【補正対象項目名】００１４
【補正方法】変更
【補正の内容】
【００１４】
本発明に係る気体圧縮機は、背圧供給溝の外周縁を、ロータ回転方向前側に向かうに従ってロータ回転中心から遠ざかるように形成して、圧縮室での媒体の圧縮過程の終盤で、ロータの回転にともなって、ベーン溝の底部が連通状態にある背圧供給溝のロータ回転方向前側の先端部から離れるまでの連通断面積が大きくなるようにしている。
【手続補正５】
【補正対象書類名】明細書
【補正対象項目名】００３７
【補正方法】変更
【補正の内容】
【００３７】
なお、図３は、フロントサイドブロック１４側のサライ溝３３を示しており、このサライ溝３３は、リアサイドブロック１５側の後述するサライ溝３０のように、ロータ回転方向前側の外周縁が突出していなく、径方向内側に湾曲している。
【手続補正６】
【補正対象書類名】明細書
【補正対象項目名】００４４
【補正方法】変更
【補正の内容】
【００４４】
この際、冷媒ガスの圧縮過程の終盤では、ロータ１１の回転にともなって、連通状態にあるベーン溝２３の底部２３ａをサライ溝３０の、ロータ１１の回転方向前側（ロータ回転方向前側）の先端部（以下、この先端部を「サライ溝先端部」という）３０ａから離すことで、サライ溝３０（サライ溝先端部３０ａ）とベーン溝２３の底部２３ａとを非連通状態とし、これにより、ベーン溝２３の底部２３ａに冷凍機油を閉じ込めて、ベーン背圧を上昇させるようにしている。このベーン背圧の上昇によって、ベーン１３のチャタリングの発生が防止される。
【手続補正７】
【補正対象書類名】明細書
【補正対象項目名】００４５
【補正方法】変更
【補正の内容】
【００４５】
ところで、図５に示す比較例（従来例）のように、冷媒ガスの圧縮過程の終盤で、連通状態にあるベーン溝２３の底部２３ａが、サライ溝３０のロータ回転方向前側の湾曲したサライ溝先端部３０ａから離れる前の状況において、この底部２３ａとサライ溝先端部３０ａ側との連通断面積Ａが小さい。即ち、図５に示す比較例（従来例）では、サライ溝３０のサライ溝先端部３０ａの外周縁を、ロータ回転方向前側に向かうに従ってロータ回転中心から遠ざかるように形成していなく、径方向内側に湾曲している。
【手続補正８】
【補正対象書類名】明細書
【補正対象項目名】００４８
【補正方法】変更
【補正の内容】
【００４８】
そこで、本実施形態では、図６に示すように、サライ溝３０のロータ回転方向前側のサライ溝先端部３０ａの外周縁３０ａ１を、ロータ回転方向前側に向かうに従ってロータ回転中心から遠ざかるように形成して、サライ溝先端部３０ａの外周縁３０ａ１と周方向端部３０ａ２を直線的に形成し、外周縁３０ａ１と周方向端部３０ａ２を繋ぐ先端角部３０ａ３を、Ｒ（アール）部としている。
【手続補正９】
【補正対象書類名】明細書
【補正対象項目名】００４９
【補正方法】変更
【補正の内容】
【００４９】
よって、図６に示すように、冷媒ガスの圧縮過程の終盤で、ロータ１１の回転にともなって連通状態にあるベーン溝２３の底部２３ａが、サライ溝３０のサライ溝先端部３０ａから離れる前の状況において、ベーン溝２３の底部２３ａが直線的な周方向端部３０ａ２を横切っている。
【手続補正１０】
【補正対象書類名】明細書
【補正対象項目名】００５０
【補正方法】変更
【補正の内容】
【００５０】
このように、本実施形態では、ロータ１１の回転にともなって連通状態にあるベーン溝２３の底部２３ａが、サライ溝３０のサライ溝先端部３０ａから離れる前の状況において、ベーン溝２３の底部２３ａが直線的な周方向端部３０ａ２を横切るため、ベーン溝２３の底部２３ａとサライ溝先端部３０ａ（周方向端部３０ａ２）側との連通断面積Ａが、図５に示した比較例（従来例）の場合よりも大幅に大きくなる。
【手続補正１１】
【補正対象書類名】明細書
【補正対象項目名】００５１
【補正方法】変更
【補正の内容】
【００５１】
このため、サライ溝３０のサライ溝先端部３０ａ（周方向端部３０ａ２）が、ロータ１１の回転にともなって連通状態にあるベーン溝２３の底部２３ａから離れる前の状況において、この底部２３ａとサライ溝先端部３０ａ（周方向端部３０ａ２）側との連通断面積Ａを大きくすることができる。
【手続補正１２】
【補正対象書類名】明細書
【補正対象項目名】００５３
【補正方法】変更
【補正の内容】
【００５３】
よって、サライ溝３０のサライ溝先端部３０ａ（周方向端部３０ａ２）が、ロータ１１の回転にともなって連通状態にあるベーン溝２３の底部２３ａから離れる前の状況において、背圧が過剰に上昇することを防止することができる。
【手続補正１３】
【補正対象書類名】明細書
【補正対象項目名】００６０
【補正方法】変更
【補正の内容】
【００６０】
また、本実施形態に係るコンプレッサ１ａも、図２及び図６に示した実施形態１と同様に、リアサイドブロック１５に設けたサライ溝３０は、ロータ回転方向前側のサライ溝先端部３０ａの外周縁３０ａ１を、ロータ回転方向前側に向かうに従ってロータ回転中心から遠ざかるように形成して、サライ溝先端部３０ａの外周縁３０ａ１と周方向端部３０ａ２を直線的に形成し、外周縁３０ａ１と周方向端部３０ａ２を繋ぐ先端角部３０ａ３を、Ｒ（アール）部としている。
【手続補正１４】
【補正対象書類名】明細書
【補正対象項目名】００６２
【補正方法】変更
【補正の内容】
【００６２】
なお、前記した実施形態では、リアサイドブロック１５に形成したサライ溝３０の、ロータ回転方向前側のサライ溝先端部３０ａの外周縁３０ａ１を、ロータ回転方向前側に向かうに従ってロータ回転中心から遠ざかるように形成した構造であったが、フロントサイドブロック１４側のサライ溝３３においても同様に本発明を適用することができる。
【手続補正１５】
【補正対象書類名】明細書
【補正対象項目名】００６３
【補正方法】変更
【補正の内容】
【００６３】
１、１ａ        コンプレッサ（気体圧縮機）
２        本体ケース
３        フロントヘッド
４        ハウジング
５        圧縮機本体
６        電磁クラッチ
１１      ロータ
１２      シリンダ
１３      ベーン
１４      フロントサイドブロック
１５      リアサイドブロック
１８      油分離器
２３      ベーン溝
２３ａ    底部
３０、３３      サライ溝（背圧供給溝）
３０ａ    サライ溝先端部
３０ａ１  外周縁
３０ａ２  周方向端部
３０ａ３  先端角部
３５      高圧供給穴
Ａ        連通断面積